(57)【要約】【課題】マニュアルフォーカスモードのときピーキング処理する。【解決手段】ＣＣＤ214(図３)で撮像された画像信号は画像処理部431(図３)でアナログ処理後にＡ／Ｄ変換回路432(図３)でデジタル化され、ＤＳＰ433(図３)で画像処理される。画像処理後の画像データはフレームメモリ435に記憶される。CAF/SAF/MF切換えスイッチ463(図３)でマニュアルフォーカスモードに切換えられると、ＣＰＵ439はピーキング処理モードに設定する。ピーキング処理回路460はフレームメモリ435のＹ信号メモリ435aに記憶されている輝度信号Ｙを読出して微分回路460aで微分し、微分信号を増幅回路460bで増幅した後加算回路460cで元の輝度信号Ｙと加算する。加算後の輝度信号Ｙ’はスイッチ460dを介して表示ＬＣＤ420へ出力され、画像信号における輪郭が強調して表示される。【選択図】図５
2008278538.tif 000002
【特許請求の範囲】
【請求項１】
撮影レンズを通して被写体像を撮像する撮像装置と、
前記撮像装置から出力された撮像信号を微分する微分手段と、
前記微分手段による微分出力を所定の判定閾値と比較判定する判定手段と、
前記判定手段が前記判定閾値より大きいと判定した前記微分出力に対応する前記撮像信号を強調する信号処理手段と、
前記撮像装置による撮影を開始させるためのレリーズ操作部材と、
前記レリーズ操作部材の半押し操作に応じて前記信号処理手段をオンする制御手段とを備えることを特徴とする電子カメラ。
【請求項２】
請求項１に記載の電子カメラにおいて、
前記信号処理手段は、前記撮影レンズの絞りが開放絞りに近いほど前記撮像信号の強調度合いを強くし、前記絞りが絞り込まれるほど前記撮像信号の強調度合いを弱くするように、前記撮像信号に対する強調度合いを変更することを特徴とする電子カメラ。
【発明の詳細な説明】
【技術分野】
【０００１】
本発明は、ＣＣＤなどの撮像装置で被写体を撮像する電子カメラに関する。
【背景技術】
【０００２】
従来から、撮影レンズを通過する被写体像を撮像して画像信号を出力する撮像装置と、撮像装置から出力される撮像信号に対し、高周波成分の信号を低周波成分の信号に対して強調し、画像のコントラストが高い部分を強調する、いわゆるピーキング処理を行う画像信号処理回路とを備えた電子カメラが知られている。たとえば、特公平6-28392号公報に記載のテレビジョンカメラでは、視覚の空間周波数特性を補正してビューファインダーによる画像のコントラストを高め、画像のエッジが鮮明になるようにピント調整が行われる。
【発明の開示】
【発明が解決しようとする課題】
【０００３】
このようなカメラでは、撮影者がピント合わせを行うときに画像のコントラストを高めるスイッチを押し、ピント合わせをしないときに上記スイッチを離すようにスイッチを手動で操作する必要があった。このスイッチの切換え操作がカメラの使用状況に応じて自動で行われるようになれば、撮影者が切換え操作を行うことなく撮影に専念することができるようになり都合がよい。
【課題を解決するための手段】
【０００４】
本発明による電子カメラは、撮影レンズを通して被写体像を撮像する撮像装置と、撮像装置から出力された撮像信号を微分する微分手段と、微分手段による微分出力を所定の判定閾値と比較判定する判定手段と、判定手段が判定閾値より大きいと判定した微分出力に対応する撮像信号を強調する信号処理手段と、撮像装置による撮影を開始させるためのレリーズ操作部材と、レリーズ操作部材の半押し操作に応じて信号処理手段をオンする制御手段とを備えることを特徴とする。
【発明の効果】
【０００５】
本発明による電子カメラでは、レリーズ操作部材が半押し操作された場合に高コントラスト部分の視認性をよくすることができる。
【発明を実施するための最良の形態】
【０００６】
以下、図面を参照して本発明を実施するための最良の形態について説明する。
（第一の実施形態）
図１は、本発明の第一の実施の形態による電子スチルカメラの収納時、および携帯時の外観を示し、(a)が上から見た図、(b)が後ろから見た図である。また、図２は図１に示したカメラの通常撮影時の外観を示し、(a)が前から見た図、(b)が上から見た図、(c)が後ろから見た図である。この実施の形態による電子スチルカメラ1は、可動レンズ2を含むレンズユニット1aと表示ＬＣＤ420を含むモニターユニット1bとに分割され、両ユニット1a、1bが相対的に回転可能に連結されている。
【０００７】
収納時または携帯時には、図１に示すように、レンズユニット1aとモニターユニット1bとがフラットになるようにレンズユニット1aを回転する。また、通常撮影時には、図２に示すように、可動レンズ2が被写体方向を向くようにレンズユニット1aを回転する。このとき、モニターユニット1bは表示ＬＣＤ420が撮影者の方向を向くように保持されるので、撮影者は表示ＬＣＤ420を見ながら撮影を行うことができる。
【０００８】
レンズユニット1aは、可動レンズ2の他に電子閃光装置4、ファインダー窓5、赤目軽減・セルフタイマー表示ランプ6、ファインダー接眼窓7などを備えている。一方、モニターユニット1bは、表示ＬＣＤ420の他にメインスイッチ8、レリーズボタン9、表示パネル10、閃光撮影モードボタン11、撮影距離モードボタン12、画質モードボタン13、ズーム操作ボタン14、モニター表示ボタン15、メニューボタン16、選択ダイヤル17などを備えている。
【０００９】
電子スチルカメラ1は、被写体像を撮像して画像データを記録する記録モードと、記録された画像データを読出して再生する再生モードの２つの動作モードを有する。メインスイッチ8の切換え操作により、記録モード(REC)と再生モード(PLAY)とが選択される。メインスイッチ8は、PLAY、オフ、REC(S)、REC(C)の少なくとも４つの位置に切換えられる。記録モードは撮像した被写体像を画像データとして記録する動作モードであり、再生モードは記録した画像データを読み出して表示ＬＣＤ420に表示する動作モードである。記録モードは(S)および(C)の二つのモードを有し、(S)は１コマずつ撮影する単コマ撮影モードであり、(C)は連続コマ撮影を行う連写モード（または動画モード）である。
【００１０】
図３は、第一の実施の形態による電子スチルカメラ1の回路を示すブロック図である。メインスイッチ8を記録モード:REC(S)に切換え操作すると、電子スチルカメラ1は電源オンするとともにＣＰＵ439がＲＯＭ443に記憶されている制御プログラムを起動させる。記録／再生切換えスイッチ467および連写モード切換えスイッチ468はメインスイッチ8に連動して操作されるようになされており、メインスイッチ8がREC(S)位置に操作されることにより、記録／再生切換えスイッチ467が記録モード側に、連写モード切換えスイッチ468が１コマ撮影モード側に切換られる。ＣＰＵ439は操作部材46から入力される操作信号に基づいて、各部のブロックに対する制御を適宜行う。
【００１１】
図３において、被写体光Ｌが可動レンズ2を通過して電子スチルカメラ1内に入射され、入射された被写体光Ｌが可動レンズ2、固定レンズ209およびレンズ群21を通過して撮像素子214上に結像される。撮像素子214はＣＣＤであり、各画素に結像された光画像を電気的な画像信号に光電変換する。デジタルシグナルプロセッサ(以下、ＤＳＰと呼ぶ)433は、ＣＣＤ214に対して水平駆動信号を供給するとともに、ＣＣＤ駆動回路434を制御してＣＣＤ214に対する垂直駆動信号を供給させる。
【００１２】
画像処理部431は、ＣＰＵ439により制御され、ＣＣＤ214で光電変換された画像信号を所定のタイミングでサンプリングして、所定の信号レベルとなるように増幅する。アナログ／デジタル変換回路(以下、Ａ／Ｄ変換回路と呼ぶ)432は、画像処理部431から出力された増幅後の画像信号をデジタル信号に変換し、デジタル変換後の画像データを上述したＤＳＰ433へ出力する。ＤＳＰ433は、Ａ／Ｄ変換回路432から出力された画像データに対して輪郭補償やガンマ補正、ホワイトバランス調整などの画像処理を施す。
【００１３】
さらにＤＳＰ433は、バッファメモリ436およびメモリカード424に接続されているデータバスを制御し、画像処理が施された画像データをバッファメモリ436に一旦記憶させた後、バッファメモリ436から記憶した画像データを読出して、たとえば、ＪＰＥＧ圧縮のために所定のフォーマット処理を行い、フォーマット処理後の画像データをＪＰＥＧ方式で所定の比率にデータ圧縮して、メモリカード424に記録させる。また、ＤＳＰ433は上記の画像処理後の画像データをフレームメモリ435に記憶させて、モニターユニット1b(図２)に設けられた表示ＬＣＤ420上に表示させたり、メモリカード424から記録された撮影画像データを読出して伸張し、伸張後の撮影画像データをフレームメモリ435に記憶させて表示ＬＣＤ420上に表示させる。さらにまた、ＤＳＰ433は上述した画像データのメモリカード424への記録、および伸張後の撮影画像データのバッファメモリ436への記録などにおけるデータ入出力のタイミング管理を行う。
【００１４】
バッファメモリ436には、ＣＣＤ214による画像データが格納され、メモリカード424に対する画像データの入出力の速度の違いと、ＣＰＵ439やＤＳＰ433などにおける処理速度の違いを緩和するために利用される。タイマ445は時計回路を内蔵し、現在の時刻に対応するタイムデータをＣＰＵ439に出力する。このタイムデータは、上述した画像データとともにメモリカード424に記録される。
【００１５】
図４は上述したレンズ群21の斜視図である。レンズ群21の内部には、絞り板215とシャッター板208とが隣接して設けられ、絞り板215およびシャッター板208はリレーレンズ212aと212bとに挟まれている。絞り板215およびシャッター板208は円盤状に形成されており、円盤の回転中心にそれぞれ設けられたステップモータ408、415(図３)により駆動される。図４に示されるように、絞り板215には絞り開口部215a〜215gが設けられている。全ての被写体光束を通過させる開口部215aの面積を基準にして、絞り開口部215b〜215gの開口面積は、開口部215b〜215gに至るまで開口面積が順に半分ずつになるように設定されている。一方、シャッター板208には全ての光束を遮光する完全遮光部208a、全ての光束を通過させる開口部208bが設けられている。
【００１６】
図３において、絞り駆動回路453は、Ａ／Ｄ変換回路432からＤＳＰ433に出力された画像データより検出された被写体の輝度を用いてＣＰＵ439で行われる所定の露出演算で決定された絞り値となるように、ステップモータ415を駆動して絞り板215の開口径を設定する。絞り板215はステップモータ415が駆動されると所定の開口径の開口を光軸上に設定する。シャッター駆動回路454は、ＣＰＵ439による露出演算で決定された露光時間となるように、ステップモータ408を駆動してシャッター板208を回動させる。
【００１７】
レンズ駆動回路430はＣＰＵ439からの指令により可動レンズ2を合焦位置へ駆動する。レンズ駆動回路430は、ＣＰＵ439による指令の他に距離環462の操作信号によっても可動レンズ2を合焦位置へ駆動することができる。ズームレンズ駆動回路429はＣＰＵ439からの指令により可動レンズ2を駆動して、可動レンズ2のズーム倍率（焦点距離）を変える。
【００１８】
ピーキング処理回路460はＣＰＵ439からの指令によりフレームメモリ435に記憶されている画像データを読み出し、読み出した画像データに対して後述するピーキング処理を行う。ピーキング処理が行われた画像データはスイッチ461の端子aへ出力される。スイッチ461はＣＰＵ439からの指令により、フレームメモリ435から読み出されてスイッチ461の端子bから入力された画像データ、およびピーキング処理回路460から出力されてスイッチ461の端子aから入力されたピーキング処理後の画像データのうち一方の画像データを表示ＬＣＤ420へ出力する。
【００１９】
スイッチ470はＣＰＵ439の指令により、ピーキング処理モードの設定／解除に合わせてピーキング処理回路460の電源をオン／オフする。ピーキング処理回路460を動作させるとき電源回路480から供給される電源をオンし、ピーキング処理回路460を動作させないとき電源回路480から供給される電源をオフする。スイッチ471はモニター表示ボタン15(図１)の操作によりオン／オフ操作されるもので、ＣＰＵ439の指令により表示ＬＣＤ420に供給される電源をオン／オフする。表示ＬＣＤ420に表示動作をさせるとき電源回路480から供給される電源をオンし、表示ＬＣＤ420に表示動作をさせないとき電源回路480から供給される電源をオフする。なお、この他の各回路ブロックに対しては、メインスイッチ8により電源オンされているときは電源回路480より常時電源が供給される。
【００２０】
測色素子417は主要被写体およびその周囲の色温度を検出し、検出した色温度のデータを測色回路452へ出力する。測色回路452は測色素子417から出力されたアナログ信号に所定の処理を施してデジタル値に変換し、変換後のデジタル信号をＣＰＵ439へ出力する。インターフェイス448は所定の外部装置(不図示)を接続して、ＣＰＵ439および接続した外部装置との間でデータの送受を行うように設けられている。
【００２１】
この他、ＣＰＵ439には表示回路440が接続され、閃光撮影モードボタン11による閃光装置4の発光モード設定、撮影距離モードボタン12による距離範囲設定、画質モードボタン13による圧縮率設定などの各種設定状態が表示パネル10に表示される。
【００２２】
−ピーキング処理−
図５はピーキング処理回路460、スイッチ461およびフレームメモリ435の詳細を示す図である。フレームメモリ435は画像データにおける輝度信号Ｙを記憶するＹ信号メモリ435a、画像データにおける色差信号Ｒ−Ｙ、色差信号Ｂ−Ｙをそれぞれ記憶するＲ−Ｙメモリ435b、Ｂ−Ｙメモリ435cにより構成される。ここで、輝度信号Ｙ、色差信号Ｒ−Ｙおよび色差信号Ｂ−ＹはＤＳＰ433により算出され、フレームメモリ435に記憶されるものである。ピーキング処理回路460は微分回路460a、増幅回路460b、加算回路460c、オペアンプ460eおよび２回路スイッチ460dにより構成される。スイッチ461は３回路のスイッチであり、a回路側がピーキング処理回路460に、b回路側がフレームメモリ435に、コモン端子が表示ＬＣＤ420に接続されている。ピーキング処理モードが設定されてピーキング処理を行う場合、ＣＰＵ439の指令によりスイッチ461がa回路側に切換られる。スイッチ461がa回路側に切換られると、ピーキング処理回路460から出力されてスイッチ461の端子1a〜端子3aから入力された各信号が表示ＬＣＤ420へ供給される。
【００２３】
図５において、Ｙ信号メモリ435aから出力された輝度信号Ｙはピーキング処理回路460に入力され、ピーキング処理回路460内の微分回路460aで微分される。微分された微分信号が増幅回路460bで増幅され、増幅後の信号が加算回路460cにおいて元の輝度信号Ｙと加算される。加算後の輝度信号Ｙ’がピーキング処理回路460から出力され、スイッチ461の端子3aから入力される。
【００２４】
Ｒ−Ｙ信号メモリ435b、Ｂ−Ｙ信号メモリ435cから出力された色差信号Ｒ−Ｙ、色差信号Ｂ−Ｙはピーキング処理回路460内のスイッチ460dの端子2b、端子1bにそれぞれ入力される。スイッチ460dの端子2a、端子1aはどちらもグランド(GND)に接続される。微分回路460aで微分された微分信号がオペアンプ460eに入力され、入力された微分信号がオペアンプ460eに入力されている所定の電圧Vrより大きいとき、オペアンプ460eからスイッチ460dを駆動する駆動信号が出力され、スイッチ460dがa回路側に切換られる。スイッチ460dのa回路側は上述したようにグランド接続されているので、スイッチ460dのコモン端子2cおよびコモン端子1cから出力される色差信号Ｒ−Ｙ、色差信号Ｂ−Ｙの大きさはそれぞれ０となる。したがって、微分信号が加算された輝度信号Ｙ’がスイッチ461の端子3aに、０の色差信号Ｒ−Ｙがスイッチ461の端子2aに、０の色差信号Ｂ−Ｙがスイッチ461の端子1aに入力される。この結果、表示ＬＣＤ420で輝度信号Ｙの微分信号が所定値より大となる部分の色が消されて白色表示される。すなわち、被写体像の輪郭などのコントラストが高い部分が高輝度で白く強調して表示される。
【００２５】
一方、微分回路460aで微分された微分信号がオペアンプ460eに入力されている所定の電圧Vrより小さいとき、オペアンプ460eからスイッチ460dを駆動する駆動信号が出力されないのでスイッチ460dはb回路側に切換られる。この結果、スイッチ460dのコモン端子2cおよびコモン端子1cから出力される色差信号Ｒ−Ｙ、色差信号Ｂ−Ｙは、それぞれＲ−Ｙ信号メモリ435b、Ｂ−Ｙ信号メモリ435cから出力された色差信号Ｒ−Ｙ、色差信号Ｂ−Ｙとなる。表示ＬＣＤ420へはこれら色差信号および微分信号が加算された輝度信号Ｙ’が供給されるので、被写体像のコントラストが低い部分の色は色差信号Ｒ−Ｙ、色差信号Ｂ−Ｙに基づいて表示される。以上のピーキング処理動作は、表示ＬＣＤ420で表示される各画素ごとに行われる。
【００２６】
ピーキング処理モードが解除されてピーキング処理回路460でピーキング処理を行わない場合、ＣＰＵ439の指令によりスイッチ461がb回路側に切換られる。スイッチ461がb回路側に切換られると、Ｂ−Ｙ信号メモリ435c、Ｒ−Ｙ信号メモリ435bおよびＹ信号メモリ435aから出力され、スイッチ461の端子1b〜端子3bにそれぞれ入力された各信号が表示ＬＣＤ420へ供給される。
【００２７】
上述したように電子スチルカメラ1は、メインスイッチ8に連動して操作される記録／再生切換えスイッチ467により記録モード(REC(S)およびREC(C))と再生モード(PLAY)が選択される。両動作モードにおいて、それぞれカメラ動作を選択／設定するためのメニュー設定モードが設けられている。本発明による電子スチルカメラ1は記録モードにおける動作に特徴があるので、記録モードを中心に説明する。
【００２８】
−記録動作−
メインスイッチ8を１コマ撮影の記録モード：REC(S)位置に切換え操作すると、デジタルスチルカメラ１は電源オンとともに１コマ撮影の記録モードに切換えられる。ＣＰＵ439にシャッターボタン9に連動する半押しスイッチと全押しスイッチ（以下、シャッターボタン9と呼ぶ）から半押し信号と全押し信号がそれぞれ入力される。シャッターボタン9による半押し信号が入力されると、ＣＰＵ439がＣＣＤ214による画像データのコントラストに基づいて可動レンズ2の焦点調節状態を検出する。そして、可動レンズ2に入射する被写体光が撮像装置であるＣＣＤ214上で結像するように可動レンズ2を合焦位置へ駆動する。また、シャッターボタン9による半押し信号がＣＰＵ439に入力されたとき、ＣＰＵ439はＣＣＤ214による画像データから被写体の輝度を検出し、検出した輝度に基づき露出演算を行う。
【００２９】
ズーム操作ボタン466が操作されると、ＣＰＵ439からの指令によりズームレンズ駆動回路429が可動レンズ2を駆動し、焦点距離を変化させる。ズーム操作ボタン14は、望遠側（Ｔ）と広角側（Ｗ）のうち、いずれか押されている側に焦点距離が移動される。
【００３０】
半押し信号に引続いてシャッターボタン9がオン操作され、全押し信号がＣＰＵ439に入力されると、露出演算の結果と閃光撮影モードボタン11によりあらかじめ設定されたモード設定とに応じて閃光装置4が発光し、可動レンズ2からの被写体光ＬがＣＣＤ214の受光面上で結像することにより、ＣＣＤ214には被写体像の明るさに応じた信号電荷が蓄積される。ＣＣＤ214はＤＳＰ433およびＣＣＤ駆動回路434によりタイミング制御され、ＣＣＤ214に蓄積された信号電荷が上記両回路から出力される駆動パルスにより吐き出され、ノイズ除去回路や直流再生回路などを含む画像処理部431に入力される。画像処理部431でアナログ画像信号に対してノイズ除去、ゲインコントロールなどのアナログ処理が施された後、Ａ／Ｄ変換回路432によってデジタル信号に変換される。
【００３１】
デジタル変換された信号は、上述したＤＳＰ433に導かれ、そこで輪郭補償、ガンマ補正等の画像前処理が行われて一旦バッファメモリ436に格納される。そして、ＣＰＵ439とバッファメモリ436との間で画像データの授受を行い、格納されている画像データからホワイトバランス調整値を求め、この調整値に基づいてＤＳＰ433でホワイトバランス調整が行われ、ホワイトバランス調整後の画像データが再びバッファメモリ436へ格納される。バッファメモリ436に記憶された画像データは、ＤＳＰ433で表示用の画像データに処理され、この画像データがフレームメモリ435に書き込まれることにより、表示ＬＣＤ420にフリーズ画像と呼ばれる撮影画面が表示される。
【００３２】
上述したような画像前処理が行なわれた画像データに対してはさらに、ＤＳＰ433によりＪＰＥＧ圧縮のためのフォーマット処理（画像後処理）が行なわれ、さらにＪＰＥＧ方式で所定の比率にデータ圧縮を受け、ＣＰＵ439により所定のデータ名を付与されてタイマ445からのタイム情報とともに、フラッシュメモリ等の記録媒体（ＰＣカード、ＣＦカードなど）424に記録される。
【００３３】
−メニュー設定−
図６は電子スチルカメラ1の表示ＬＣＤ420に表示される記録モードのメニュー設定画面を説明する図である。記録モードにおいて図１のメニューボタン16が押されると、図６(a)のようなメニュー設定画面が電子スチルカメラ1の表示ＬＣＤ420に表示される。選択ダイヤル17またはズーム操作ボタン14（メニュー設定モード中は選択スイッチとして機能する）が操作されることにより、たとえば、メニューの中から「ＡＥ動作」の項目が選択され、レリーズボタン9（メニュー設定モード中は選択決定スイッチとして機能する）が押されて「ＡＥ動作」が選択決定されると、図６(b)のようなＡＥ動作モードに関するメニュー設定画面が表示ＬＣＤ420に表示される。ＡＥ動作モードとは、ＣＰＵ439が行う露出演算において、検出した被写体の輝度値に応じて予め定められた条件により絞り値およびシャッター速度(露光時間)を決定する「プログラムモード」、検出した被写体の輝度値および設定されている絞り値に応じてシャッター速度を決定する「絞り優先モード」、検出した被写体の輝度値および設定されているシャッター速度に応じて絞り値を決定する「シャッター優先モード」、撮影者が絞り値およびシャッター速度を決定する「オフ（マニュアル）」のことである。
【００３４】
選択ダイヤル17またはズーム操作ボタン14が操作されることにより、たとえば、メニューの中から「絞り優先モード」の項目が選択される。レリーズボタン9が押されて「絞り優先モード」の項目が選択決定されると、検出した輝度値および設定されている絞り値に応じてシャッター速度を決定する動作モードが選択される。
【００３５】
また、選択ダイヤル17またはズーム操作ボタン14によりメニューの中から「ＡＦ動作」の項目を選択したとき(図７(a))、レリーズボタン9を押して「ＡＦ動作」を選択決定すると、図７(b)のようなＡＦ動作モードに関するメニュー設定画面が表示ＬＣＤ420に表示される。ＡＦ動作モードとは、メインスイッチ8によりカメラが記録モードに設定されているとき焦点検出動作が常に行われる「コンティニュアスＡＦモード」と、レリーズボタン9による半押し信号がＣＰＵ439に入力されたときにのみ行われる「シングルＡＦモード」と、電子スチルカメラ1が焦点検出動作を行わずに、撮影者がピント合わせをマニュアルで行う「オフ(マニュアル)」のことである。
【００３６】
選択ダイヤル17またはズーム操作ボタン14が操作されることにより、メニューの中から「シングルＡＦモード」の項目が選択される。レリーズボタン9が押されて「シングルＡＦモード」の項目が選択決定されると、半押し信号がＣＰＵ439に入力されたときにのみ焦点検出が行われる動作モードが選択される。
【００３７】
メニューによるこれらの設定内容は、再びメニューボタン16が押されることにより、メニュー設定モードから記録モードに復帰したときから有効になる。
【００３８】
以上説明したようなメニュー設定は、上述したＡＥモードおよびＡＦモードの他に露出補正、測光方式およびホワイトバランス調整値の選択などの撮影機能に関するカメラ動作を詳細に設定するために使用されるものである。このメニュー設定モード中は、表示ＬＣＤ420に図６および図７のようなメニュー画面が表示され、可動レンズ2を通して撮像している被写体像の画面は表示されない。
【００３９】
−間引き読出し−
表示ＬＣＤ420は、図１に示されるように電子スチルカメラ1のモニターユニット1bに設けられた小型の液晶表示器であり、ＣＣＤ214で撮像される全画素数に対して表示画素数が少ない。そこで、ＣＣＤ214で撮像された被写体像を表示ＬＣＤ420で表示する場合は、ＣＣＤ214で蓄積された蓄積電荷が表示ＬＣＤ420の表示解像度に合わせて所定の割合で間引きして読出される。
【００４０】
図８は、ＣＣＤ214で撮像された被写体像を構成する画素並びと、被写体像を表示ＬＣＤ420上に表示するために間引きして読出される画素を説明する図である。図８において、黒く塗られた画素が表示ＬＣＤ420で表示するために間引き読出しされる画素を示しており、ＣＣＤ214で撮像される画素について、縦方向および横方向にそれぞれ５画素につき１画素の割合で読出される。
【００４１】
カラー画像を撮像するためにＣＣＤ214上に色フィルタが設けられている場合は、図９(a)に示すようにＲ、Ｇ、Ｂの原色フィルタが配置される場合と、図９(b)に示すようにＧ、Ｙe、Ｃy、Ｍaの補色フィルタが配置される場合とがある。図９(a)および図９(b)のいずれの場合でも、縦横両方向において２画素おき、４画素おき、…というように２の倍数の画素を間引いて読出すようにすれば、間引きする前のＣＣＤ214上の色フィルタの配列順序と、間引きして読出されたデータに対応する色フィルタの配列順序とが一致するので、間引きを行っても間引き前の色が再現される。図９(a),(b)において斜線を引いた画素は、５画素につき１画素の割合で読出される場合の画素位置である。
【００４２】
以上の間引き読出しはＣＰＵ439に制御される画像処理部431により行われる。すなわち、画像処理部431がＣＣＤ214から出力される画像信号を表示ＬＣＤ420の表示解像度に応じた所定のタイミングでサンプリングすることにより、ＣＣＤ214で撮像された被写体像が間引いて読出される。
【００４３】
上記の説明による間引き読出しは、上述したピーキング処理を施して被写体像を表示ＬＣＤ420上に表示する場合など、ＣＣＤ214で撮像されている被写体像をスルー画像表示する、いわゆる電子ビューファインダーモードにおいて行われるものである。上述した記録動作のように、レリーズボタン9により全押し信号が入力された場合においては、ＣＣＤ214で撮像された全ての蓄積電荷が間引きすることなく読出される。
【００４４】
−焦点調節状態の検出−
可動レンズ2による焦点位置の調節状態を自動的に検出する検出動作(オートフォーカス:ＡＦ)は、たとえば、被写界の中心部分の特定の領域の被写体画像について行われる。なお、被写体画像は上述した図８のように間引いて読出される。図１０は間引いて読出された各画素の位置と画素の出力値との関係を示すグラフの例である。グラフは被写体に応じた曲線を示し、曲線の変化が大きいほど被写体のコントラストが高い。したがって、被写体のコントラストが最高となるように、いわゆる山登り法により焦点位置の調節状態を検出し、レンズ駆動回路430を駆動して可動レンズ2の焦点位置を調整して合焦させる。
【００４５】
−ピーキング処理を行う条件−
図１１は第一の実施の形態による電子スチルカメラ1のピーキング処理を行うか否かの判定処理を示すフローチャートである。図１１のステップＳ１１１において、マニュアルフォーカスモードに設定されているか否かが判定される。上述した図７の「ＡＦ動作」設定メニューで「オフ(マニュアル)」に設定されているとき、ステップＳ１１１で肯定判定され（ステップＳ１１１のＹ）、ステップＳ１１２へ進んでピーキング処理を行うピーキング処理モードに設定する。一方、図７の「ＡＦ動作設定メニュー」で「コンティニュアスＡＦモード」または「シングルＡＦモード」に設定されているとき、ステップＳ１１１で否定判定され（ステップＳ１１１のＮ）、ステップＳ１１３へ進んでピーキング処理モードを解除する。
【００４６】
このように構成された電子スチルカメラ1の記録モードの撮影処理について説明する。図１２は、レリーズボタン9による半押し操作信号で起動されるプログラムを示すフローチャートである。ＣＰＵ439には、レリーズボタン9の操作により半押し操作信号と全押し操作信号がそれぞれ入力される。ステップＳ１において、画像処理部431で画像信号を増幅する増幅率が焦点検出時の所定値に変更され、絞り板215上の全光束を通過させる開口部215aが光路上にセットされる。ステップＳ２ではシャッター板208の全ての光束を通過させる開口部208bが光路上になるようにセットされる。ステップＳ３でＣＣＤ214に電荷が蓄積されて被写体像が撮像される。ステップＳ４において、ＣＣＤ214に蓄積された蓄積電荷を表示ＬＣＤ420の表示解像度に応じた所定の割合に間引きして読出すことにより、撮像された画像信号に基づいた画像データが読み出される。
【００４７】
ステップＳ５において、読出された画像データが画像処理部431でアナログ処理され、Ａ／Ｄ変換回路432でデジタル信号に変換された後、ＤＳＰ433で所定の画像処理が施される。ステップＳ６において、画像処理後の画像データがフレームメモリ435に書き込まれることにより、表示ＬＣＤ420にスルー画像が表示される。このとき、ピーキング処理を行うようにピーキング処理モードに設定されている場合は、ＣＰＵ439の指令によりスイッチ461がa回路側に切換られて、被写体像の輪郭などのコントラストが高い部分が高輝度で白く強調して表示される。
【００４８】
ステップＳ７において、オートフォーカス(AF)モードか否かが判定され、肯定判定されるとステップＳ８へ進み、否定判定されるとステップＳ１２へ進む。ステップＳ８において、画像データの中にコントラストが検出可能か否かが判定される。コントラストが検出可能と判定される（ステップＳ８のＹ）とステップＳ９へ進み、コントラストが検出可能でないと判定される（ステップＳ８のＮ）とステップＳ１１へ進んで表示回路440を介して表示パネル10に合焦不可能の警告表示を行い、ステップＳ１へ戻る。
【００４９】
ステップＳ９では、画像データの中に検出されたコントラストが所定値より高いか否かが判定される。否定判定される（ステップＳ９のＮ）とステップＳ１０へ進み、レンズ駆動回路430を駆動して可動レンズ2の焦点位置を調整する。一方、肯定判定される（ステップＳ９のＹ）と合焦されたとみなしてステップＳ１２へ進む。ステップＳ１２において、全押し操作信号が入力されたと判定される（ステップＳ１２のＹ）と、ステップＳ１３に続く撮影シーケンスが実行される。一方、全押し操作信号が入力されないと判定されたとき（ステップＳ１２のＮ）は、ステップＳ１に戻る。
【００５０】
ステップＳ１３では、画像データから被写体の輝度値が算出され、露出演算が行われる。ステップＳ１４で絞り板215の所定の開口部が光路上にセットされ、画像処理部431で画像信号を増幅する増幅率が焦点検出時の設定値から撮影時の所定の設定値に変更される。ステップＳ１５において、ＣＣＤ214が所定時間露光されて電荷が蓄積され、被写体像が撮像される。露光終了後、ステップＳ１６でシャッター板208上の完全遮光部208ａが光路上にセットされる。ステップＳ１７において、ＣＣＤ214から蓄積電荷を間引きすることなく読出すことにより、撮像された画像信号に基づいた画像データが読み出される。
【００５１】
ステップＳ１８において、読み出された画像データが画像処理部431でアナログ処理され、Ａ／Ｄ変換回路432でデジタル信号に変換された後、ＤＳＰ433で画像処理される。ステップＳ１９で画像処理後の画像データがフレームメモリ435に書き込まれることにより、表示ＬＣＤ420にフリーズ画像が表示される。ステップＳ２０において、画像処理後のデータが所定のフォーマットにより圧縮され、メモリカード424に記録される。以上により、図１２による一連の記録モードの撮影処理が終了する。
【００５２】
第一の実施の形態の特徴についてまとめる。
（１）マニュアルフォーカスモードに設定された場合にピーキング処理を行うピーキング処理モードに設定するようにしたので、合焦時に被写体像のコントラストが高くなった部分が表示ＬＣＤ420上に強調して表示され、撮影者がピント調整を行う場合に合焦したか否かの確認、および被写体像のどの部分で合焦したかの確認が容易になる。したがって電子スチルカメラの操作性が向上する。
（２）撮影者がピント合わせをする必要がないオートフォーカスモード(コンティニュアスＡＦモードおよびシングルＡＦモード)の場合はピーキング処理を行わないようにしたので、撮影者は表示ＬＣＤ420上で自然な被写体像を見ることが可能になる。
（３）ピーキング処理は、ＣＣＤ214で撮像された撮像信号のうちＹ信号メモリ435aに記憶されている輝度信号を微分回路460aで微分し、その微分信号を加算回路460cで元の輝度信号と足し合わせて表示ＬＣＤ420上に表示するようにしたので、被写体像の輪郭などのコントラストがはっきりするほど、その部分が黒または白に強調される。さらに、微分回路460aの出力が所定の電圧Vrより大となるとき色差信号Ｒ−Ｙおよび色差信号Ｂ−Ｙを０にするようにしたので、とくにコントラストが高い部分は白色表示されて視認性がよくなる。
（４）電子ビューファインダーモードにおいて、ＣＣＤ214で撮像されて蓄積された信号電荷を表示ＬＣＤ420の表示解像度に応じた所定の割合に間引きして読出すようにしたので、全ての信号電荷を読出す場合に比べて読出すデータの数が少なくなり、バッファメモリ436の使用領域を削減することができる。さらに、ＣＰＵ439およびＤＳＰ433における処理の負担を軽減できるから、処理時間の短縮および消費電力を低減する効果が得られる。
（５）可動レンズ2による焦点位置の調節状態を自動的に検出するオートフォーカス(ＡＦ)動作、および上記(３)によるピーキング処理はともに上記(４)により間引き読出しされた被写体画像について行うようにしたので、ＡＦ動作により主要被写体に合焦した場合に、ＡＦ動作で使用された画像データと同一の画像データをピーキング処理により強調して表示することが可能になる。したがって、合焦した被写体と強調して表示される被写体像とが常に一致するから操作感が向上する。
【００５３】
上記の説明では、メニュー設定によりマニュアルフォーカス(MF)モードとオートフォーカスモード（コンティニュアスＡＦ(CAF)モードおよびシングルＡＦ(SAF)モード）とを切換えるようにしたが、メニュー設定の代わりに図３に示すCAF/SAF/MF切換えスイッチ463により切換えるようにしてもよい。
【００５４】
また、上記の説明では、ピーキング処理回路460を用いてピーキング処理を行うようにしたが、ピーキング処理回路460で行った処理をソフトウエアにより処理するようにしてもよい。この場合、ＣＰＵ439がバッファメモリ436上にある画像データに対して必要に応じてピーキング処理を行い、ピーキング処理後の画像データをフレームメモリ435に書き込むようにする。このようにすれば、ピーキング処理回路460およびスイッチ461、スイッチ470が不要になり、コストを低減する効果が得られる。
【００５５】
上述したピーキング処理回路460の説明では、被写体像の輪郭などのコントラストが高い部分を高輝度で白く強調して表示するようにしたが、白色の代わりに背景に対する補色で表示するようにしてもよい。また、白色と黒色を点滅させて表示するようにしてもよい。このようにすれば、被写体像の背景色が白くて強調された白色部分が目立たない場合でも、補色表示または白黒の点滅表示を行うことにより強調された部分が見やすくなるという効果が得られる。
【００５６】
また、上述したピーキング処理回路460の説明では、絞り値(光路に設定されている絞り板215の開口215a〜215g)に関係なくピーキング処理を行うようにしたが、絞り値に応じて微分回路460aのゲインおよびオペアンプ460eに入力される所定の電圧Vrを変化させるようにしてもよい。たとえば、絞り開放で被写界深度が浅い場合は輪郭を強く強調するようにし、絞りを絞り込んだ場合は被写界深度が深くなるので輪郭を弱めに強調するようにする。このようにすれば、被写界深度が深くてピントの合った部分が多い場合に、これらがすべてピーキング処理により強調されて画面全体が高輝度でギラギラと表示されることが防止される。
【００５７】
さらにまた、上記の微分回路460aのゲインおよびオペアンプ460eに入力される所定の電圧Vrを被写体像の背景の明るさに応じて変化させるようにしてもよい。背景が明るい場合は輪郭を強く強調し、背景が暗い場合は輪郭を弱めに強調するようにすれば、背景の明るさが変化する場合でも強調された部分が見やすくなるという効果が得られる。
【００５８】
−第二の実施の形態−
第二の実施の形態では、第一の実施の形態に比べてピーキング処理を行うか否かの判定処理が異なる。図１３は第二の実施の形態による電子スチルカメラ1における判定処理を示すフローチャートである。図１３のステップＳ１２１において、絞り優先のＡＥモードまたはマニュアルモードに設定されているか否かが判定される。上述した図６の「ＡＥ動作」設定メニューで「絞り優先」または「オフ(マニュアル)」に設定されているとき、ステップＳ１２１で肯定判定され（ステップＳ１２１のＹ）、ステップＳ１２２へ進んでピーキング処理を行うピーキング処理モードに設定する。一方、図６の「ＡＥ動作設定メニュー」で「プログラム」、「シャッター優先」および「オフ（マニュアル）」のいずれかに設定されているとき、ステップＳ１２１で否定判定され（ステップＳ１２１のＮ）、ステップＳ１２３へ進んでピーキング処理モードを解除する。
【００５９】
第二の実施の形態の特徴についてまとめる。
（１）絞り優先により露出演算を行うＡＥモード、またはマニュアルにより露出を行うモードに設定された場合にピーキング処理を行うピーキング処理モードに設定するようにしたので、合焦時に被写体像のコントラストが高くなった部分が表示ＬＣＤ420上に強調して表示される。この結果、撮影者が被写界深度を考慮する可能性が高い状況でピーキング処理が行われるので、表示ＬＣＤ420上でピントの合っている部分の確認が容易になる。
（２）被写界深度を考慮する可能性が低いプログラムＡＥモードおよびシャッター速度優先によるＡＥモードの場合はピーキング処理を行わないようにしたので、撮影者は表示ＬＣＤ420上で自然な被写体像を見ることが可能になる。
【００６０】
以上の説明では、メニュー設定により絞り優先、プログラム、シャッター優先およびマニュアルとを切換えるようにしたが、メニュー設定の代わりに図３に示すＡＥモード切換えスイッチ464により切換えるようにしてもよい。
【００６１】
−第三の実施の形態−
第三の実施の形態では、第一、第二の実施の形態に比べてピーキング処理を行うか否かの判定処理が異なる。図１４は第三の実施の形態による電子スチルカメラ1における判定処理を示すフローチャートである。図１４のステップＳ１３１において、ピーキング処理モードに設定されているか否かを示すフラグＦを初期値０にする。ステップＳ１３２において、レリーズボタン9がダブルクリック操作されたか否かが判定される。ダブルクリック操作は、所定時間内にレリーズボタン9による半押し信号の入力が２回行われる操作をいう。ダブルクリック操作されたと判定される（ステップＳ１３２のＹ）とステップＳ１３３へ進み、フラグＦが０か否かが判定される。ダブルクリック操作が行われていないと判定される（ステップＳ１３２のＮ）とステップＳ１３４へ進み、所定時間のタイマー処理がタイムアップしたか否かが判定される。
【００６２】
ステップＳ１３４において、タイムアップしたと肯定判定されると図１４の処理を終了し、否定判定されるとステップＳ１３２へ戻る。ステップＳ１３３において、フラグＦが０と判定される（ステップＳ１３３のＹ）とステップＳ１３５へ進んでピーキング処理モードに設定し、ステップＳ１３６でフラグＦを１にセットして図１４の処理を終了する。一方、ステップＳ１３３において、フラグＦが０でないと判定される（ステップＳ１３３のＮ）とステップＳ１３７へ進んでピーキング処理モードを解除し、ステップＳ１３８でフラグＦを０にセットして図１４の処理を終了する。
【００６３】
第三の実施の形態の特徴についてまとめる。レリーズボタン9をダブルクリック操作するだけでピーキング処理モードの設定および解除を行えるようにしたので、撮影者が他の操作部材を操作することなく迅速に撮影を行うことができる。
【００６４】
−第四の実施の形態−
第四の実施の形態では、第一〜第三の実施の形態に比べてピーキング処理を行うか否かの判定処理が異なる。図１５は第四の実施の形態による電子スチルカメラ1における判定処理を示すフローチャートである。図１５のステップＳ１４１において、シャッターボタン9による半押し信号が入力されたか否かが判定される。ステップＳ１４１で肯定判定される（ステップＳ１４１のＹ）と、ステップＳ１４２へ進んでピーキング処理を行うピーキング処理モードに設定する。一方、ステップＳ１４１で否定判定される（ステップＳ１４１のＮ）と、ステップＳ１４３へ進んでピーキング処理モードを解除する。
【００６５】
第四の実施の形態の特徴についてまとめる。レリーズボタン9を半押し操作するとピーキング処理モードに設定され、半押し操作をやめるとピーキング処理モードが解除されるようにしたので、撮影者がレリーズボタン9から指を離すことなく迅速に撮影を行うことができる。
【００６６】
−第五の実施の形態−
第五の実施の形態では、第一〜第四の実施の形態に比べてピーキング処理を行うか否かの判定処理が異なる。図１６は第五の実施の形態による電子スチルカメラ1における判定処理を示すフローチャートである。図１６のステップＳ１５１において、ピント調整を行うための距離環462が回されたか否かが判定される。否定判定される（ステップＳ１５１のＮ）と距離環462が操作されるのを待ち、肯定判定される（ステップＳ１５１のＹ）と、ステップＳ１５２へ進んで所定時間（たとえば、約１６秒）のタイマーがセットされる。ステップＳ１５３においてピーキングモードに設定され、ステップＳ１５４でタイムアップしたか否かが判定される。タイムアップしたと判定される（ステップＳ１５４のＹ）とステップＳ１５５へ進み、ピーキング処理モードを解除して図１６の処理を終了する。ステップＳ１５４で否定判定されたとき（ステップＳ１５４のＮ）は、タイムアップするのを待つ。
【００６７】
第五の実施の形態の特徴についてまとめる。撮影者がピント調整を行うために距離環462を操作するとピーキング処理モードに設定し、約１６秒経過するとピーキング処理モードを解除するようにしたので、撮影者がピント合わせを行うときだけ自動的にピーキング処理が行われてカメラの操作性が向上する。
【００６８】
−第六の実施の形態−
第六の実施の形態では、第一〜第五の実施の形態に比べてピーキング処理を行うか否かの判定処理が異なる。図１７は第六の実施の形態による電子スチルカメラ1における判定処理を示すフローチャートである。図１７のステップＳ１６１において、可動レンズ2の焦点距離を変更するためにズーム操作ボタン14が操作されているか否かが判定される。ステップＳ１６１で肯定判定される（ステップＳ１６１のＹ）と、ステップＳ１６２へ進んでピーキング処理を行わないようにピーキング処理モードを解除する。一方、ステップＳ１６１で否定判定される（ステップＳ１６１のＮ）と、ステップＳ１６３へ進んでピーキング処理モードに設定する。
【００６９】
第六の実施の形態の特徴についてまとめる。撮影者がズーム倍率を変更するためにズーム操作ボタン14を操作するとピーキング処理モードを解除し、ズーム操作ボタン14の操作を終了するとピーキング処理モードに設定するようにしたので、たとえば、ズーミング動作により一時的にピントがずれる場合でもピーキング処理が行われないから、ズーミング動作により表示ＬＣＤ420上の被写体像の輪郭部分が強調されたりされなかったりということがなくなり、撮影者が違和感を感じることが防止される。
【００７０】
−第七の実施の形態−
第七の実施の形態では、第一〜第六の実施の形態に比べてピーキング処理を行うか否かの判定処理が異なる。図１８は第七の実施の形態による電子スチルカメラ1における判定処理を示すフローチャートである。図１８のステップＳ１７１において、ＣＣＤ214による画像データから検出した被写体の輝度が所定値以下か否かが判定される。ステップＳ１７１で肯定判定される（ステップＳ１７１のＹ）と、ステップＳ１７２へ進んでピーキング処理を行わないようにピーキング処理モードを解除する。一方、ステップＳ１７１で否定判定される（ステップＳ１７１のＮ）と、ステップＳ１７３へ進んでピーキング処理モードに設定する。
【００７１】
第七の実施の形態の特徴についてまとめる。被写体の輝度値が所定値以下の場合にピーキング処理モードを解除するようにしたので、被写体の低輝度に起因したコントラストの低下により、合焦しているにもかかわらず表示ＬＣＤ420上の被写体像の輪郭部分が強調されずに撮影者が合焦していないと誤解することが防止される。また、合焦していない背景に明るい部分があった場合に、背景の明るい部分を強調することを防止する効果も得られる。
【００７２】
−第八の実施の形態−
第八の実施の形態では、第一〜第七の実施の形態に比べてピーキング処理を行うか否かの判定処理が異なる。図１９は第八の実施の形態による電子スチルカメラ1における判定処理を示すフローチャートである。図１９のステップＳ１８１において、メインスイッチ8がREC(C)位置に操作されて連写モードまたは動画モードに設定されているか否かが判定される。連写モードと動画モードとの切換えは、メニュー設定の中にある不図示の動画モード設定画面において、動画モードをオフすれば連写モードに、動画モードをオンすれば動画モードに切換わる。連写モードはレリーズボタン9を押し続けると１秒間に約８コマの割合で連続的に撮影するモードであり、動画モードは１秒間に約３０〜６０コマの撮影を行うモードである。
【００７３】
ステップＳ１８１で肯定判定される（ステップＳ１８１のＹ）と、ステップＳ１８２へ進んでピーキング処理を行わないようにピーキング処理モードを解除する。一方、ステップＳ１８１で否定判定される（ステップＳ１８１のＮ）と、ステップＳ１８３へ進んでピーキング処理モードに設定する。
【００７４】
第八の実施の形態の特徴についてまとめる。連写モードまたは動画モードに設定されている場合にピーキング処理モードを解除するようにしたので、ＣＰＵ439における処理の負荷を低減して１コマ当たりの撮影処理時間を短縮し、より多くの撮影コマ数を確保する効果が得られる。
【００７５】
−第九の実施の形態−
第九の実施の形態では、第一〜第八の実施の形態に比べてピーキング処理を行うか否かの判定処理が異なる。図２０は第九の実施の形態による電子スチルカメラ1における判定処理を示すフローチャートである。図２０のステップＳ１９１において、メインスイッチ8により再生モードに設定されているか否かが判定される。ステップＳ１９１で肯定判定される（ステップＳ１９１のＹ）と、ステップＳ１９２へ進んでピーキング処理を行わないようにピーキング処理モードを解除する。一方、ステップＳ１９１で否定判定される（ステップＳ１９１のＮ）と、ステップＳ１９３へ進んでピーキング処理モードに設定する。
【００７６】
第九の実施の形態の特徴についてまとめる。再生モードに設定されるとピーキング処理モードを解除するようにしたので、ピント合わせを行う必要がない再生モードにおいて、表示ＬＣＤ420上に自然な記録画像を再生することが可能になる。
【００７７】
−第十の実施の形態−  
第十の実施の形態では、電子スチルカメラ1がメインスイッチ8により記録モードで使用されているとき、自動的にピーキング処理モードが解除される場合について説明する。第十の実施の形態は、第一〜第九の実施の形態に比べてピーキング処理を行うか否かの判定処理が異なる。図２１は第十の実施の形態による半押し信号で起動される撮影処理のフローチャートである。図２１において、ステップＳ２４１〜ステップＳ２５８までの処理は図１２におけるステップＳ１〜ステップＳ１８と同じ処理が行われる。
【００７８】
ステップＳ２５９において、ピーキング処理モードが解除されてピーキング処理回路460がオフされる。ステップＳ２６０で画像処理後の画像データがフレームメモリ435に書き込まれることにより、表示ＬＣＤ420にピーキング処理が行われないフリーズ画像が表示される。ステップＳ２６１において、画像処理後のデータが所定のフォーマットにより圧縮され、メモリカード424に記録される。以上の処理により、図２１による一連の撮影処理が終了する。
【００７９】
第十の実施の形態の特徴についてまとめる。レリーズボタン9が全押しされた後に撮像された画像に対してピント合わせなどを行う必要がないので、ステップＳ２５９においてピーキング処理モードを解除するようにした。この結果、ステップＳ２６０においてピーキング処理を行わない自然なフリーズ画像を表示ＬＣＤ420上に表示することが可能になる。
【００８０】
−第十一の実施の形態−
第十一の実施の形態では、第一〜第十の実施の形態に比べてピーキング処理を行うか否かの判定処理が異なる。図２２は第十一の実施の形態による電子スチルカメラ1における判定処理を示すフローチャートである。図２２のステップＳ２０１において、撮影距離モードボタン12により遠景撮影モードに設定されているか、または距離環462が無限遠（∞）位置に設定されているか否かが判定される。撮影距離モードボタン12が押されるごとに、マクロ撮影モード→遠景撮影モード→通常距離の撮影モードがサイクリックに切換わる。遠景撮影モードでは、オートフォーカスモードに設定されている場合でも、距離環462が無限遠位置に調整される。
【００８１】
ステップＳ２０１で肯定判定される（ステップＳ２０１のＹ）と、ステップＳ２０２へ進んでピーキング処理を行わないようにピーキング処理モードを解除する。一方、ステップＳ２０１で否定判定される（ステップＳ２０１のＮ）と、ステップＳ２０３へ進んでピーキング処理モードに設定する。
【００８２】
第十一の実施の形態の特徴についてまとめる。遠景撮影モードに設定されている場合や距離環462が無限遠位置に設定されている場合にピーキング処理モードを解除するようにしたので、無限遠の被写体を撮影する場合において、被写体像のコントラストが低くて輪郭の強調が正しく行われないとき、このような状況を回避する効果が得られる。
【００８３】
−第十二の実施の形態−
第十二の実施の形態では、第一〜第十一の実施の形態に比べてピーキング処理を行うか否かの判定処理が異なる。図２３は第十二の実施の形態による電子スチルカメラ1における判定処理を示すフローチャートである。図２３のステップＳ２１１において、コンティニュアスＡＦモードに設定されているか否かが判定される。ステップＳ２１１で肯定判定される（ステップＳ２１１のＹ）と、ステップＳ２１２へ進んでピーキング処理を行わないようにピーキング処理モードを解除する。一方、ステップＳ２１１で否定判定される（ステップＳ２０１のＮ）と、ステップＳ２１３へ進んでシングルＡＦモードに設定されているか否かが判定される。
【００８４】
マニュアルフォーカス(MF)モードに設定されているときは否定判定され（ステップＳ２１３のＮ）、ステップＳ２１４へ進んでピーキング処理モードに設定して図２２の処理を終了する。シングルＡＦモードに設定されているときは肯定判定され（ステップＳ２１３のＹ）、ステップＳ２１５へ進んでピーキング処理モードを解除する。ステップＳ２１６において、焦点調節状態を検出して可動レンズ2の駆動するＡＦ動作が行われ、ステップＳ２１７で合焦したか否かが判定される。否定判定される（ステップＳ２１７のＮ）と再びステップＳ２１６へ戻り、肯定判定される（ステップＳ２１７のＹ）とステップＳ２１８へ進んでピーキング処理モードに設定する。ステップＳ２１９において、合焦されたときの被写体像がコントラストの高い部分を強調して表示される。
【００８５】
第十二の実施の形態の特徴についてまとめる。
（１）撮影者が表示ＬＣＤ420上に表示された被写体像を確認しながら撮影する可能性が高いコンティニュアスＡＦモードではピーキング処理モードを解除するようにしたので、撮影者の目の疲れを防止する効果が得られる。
（２）シングルＡＦモードに設定された場合は合焦するまでピーキング処理モードを解除し、合焦後にピーキング処理モードに設定するようにしたので、撮影者が合焦前に表示ＬＣＤ420上で自然な被写体像を確認することができ、合焦後は輪郭が強調された被写体像から被写界深度を確認することが可能になる。
【００８６】
−第十三の実施の形態−
第十三の実施の形態では、第一〜第十二の実施の形態に比べてピーキング処理を行うか否かの判定処理が異なる。図２４は第十三の実施の形態による電子スチルカメラ1における判定処理を示すフローチャートである。図２４のステップＳ２２１において、モニター表示ボタン15により表示ＬＣＤ420の表示がオフされているか否かが判定される。ステップＳ２２１で肯定判定される（ステップＳ２２１のＹ）と、ステップＳ２２２へ進んでスイッチ470を駆動し、ピーキング処理回路460に供給される電源をオフする。このときピーキング処理モードも解除される。一方、ステップＳ２２１で否定判定される（ステップＳ２２１のＮ）と、ステップＳ２２３へ進んでスイッチ470を駆動し、ピーキング処理回路460に供給される電源をオンする。このときピーキング処理モードに設定される。
【００８７】
第十三の実施の形態の特徴についてまとめる。表示ＬＣＤ420の表示がオフされている場合は、ピーキング処理モードを解除する上にピーキング処理回路460に印加される電源をオフするようにしたので、省電力の効果が得られる。
【００８８】
−第十四の実施の形態−
第十四の実施の形態では、第一〜第十三の実施の形態に比べてピーキング処理を行うか否かの判定処理が異なる。図２５は第十四の実施の形態による電子スチルカメラ1における判定処理を示すフローチャートである。図２５のステップＳ２３１において、撮影距離モードボタン12によりマクロ撮影モードに設定されているか否かが判定される。ステップＳ２３１で肯定判定される（ステップＳ２３１のＹ）と、ステップＳ２３２へ進んでピーキング処理を行うピーキング処理モードに設定する。一方、ステップＳ２３１で否定判定される（ステップＳ２３１のＮ）と、ステップＳ２３３へ進んでピーキング処理モードを解除する。
【００８９】
第十四の実施の形態の特徴についてまとめる。マクロ撮影モードに設定されるとピーキング処理モードに設定するようにしたので、表示ＬＣＤ420上の被写体像のうちピントが合っている部分の確認が容易になりカメラの操作性が向上する効果が得られる。
【００９０】
以上の説明では、第一〜第十四の実施の形態によるピーキング処理を行うか否かの判定処理をそれぞれ単独で行うように説明したが、これら各実施の形態による判定処理を任意に組み合わせて行うようにしてもよい。
【００９１】
以上の説明はあくまで一例であり、上記の実施形態の構成に何ら限定されるものではない。
【図面の簡単な説明】
【００９２】
【図１】一実施の形態による電子スチルカメラの収納時、および携帯時の外観を示す図で(a)が上から見た図、(b)が後ろから見た図である。
【図２】図１のカメラの通常撮影時の外観を示す図で(a)が前から見た図、(b)が上から見た図、(c)が後ろから見た図である。
【図３】第一の実施の形態による電子スチルカメラの回路ブロックを示す図である。
【図４】レンズ群の斜視図である。
【図５】ピーキング処理回路、スイッチおよびフレームメモリの詳細を示す図である。
【図６】メニュー設定画面のＡＥ動作の設定を説明する図である。
【図７】メニュー設定画面のＡＦ動作の設定を説明する図である。
【図８】ＣＣＤで撮像された被写体像を構成する画素並びと、間引きして読出される画素を説明する図である。
【図９】(a)はＣＣＤ上に設けられた原色フィルタの配置例を示す図、(b)はＣＣＤ上に設けられた補色フィルタの配置例を示す図である。
【図１０】ＣＣＤ上で検出された各画素の位置と、各画素の出力値との関係を表すグラフの例である。
【図１１】第一の実施の形態によるピーキング処理を行うか否かの判定処理のフローチャートである。
【図１２】半押し信号により起動する撮影処理のフローチャートである。
【図１３】第二の実施の形態によるピーキング処理を行うか否かの判定処理のフローチャートである。
【図１４】第三の実施の形態によるピーキング処理を行うか否かの判定処理のフローチャートである。
【図１５】第四の実施の形態によるピーキング処理を行うか否かの判定処理のフローチャートである。
【図１６】第五の実施の形態によるピーキング処理を行うか否かの判定処理のフローチャートである。
【図１７】第六の実施の形態によるピーキング処理を行うか否かの判定処理のフローチャートである。
【図１８】第七の実施の形態によるピーキング処理を行うか否かの判定処理のフローチャートである。
【図１９】第八の実施の形態によるピーキング処理を行うか否かの判定処理のフローチャートである。
【図２０】第九の実施の形態によるピーキング処理を行うか否かの判定処理のフローチャートである。
【図２１】第十の実施の形態による半押し信号により起動する撮影処理のフローチャートである。
【図２２】第十一の実施の形態によるピーキング処理を行うか否かの判定処理のフローチャートである。
【図２３】第十二の実施の形態によるピーキング処理を行うか否かの判定処理のフローチャートである。
【図２４】第十三の実施の形態によるピーキング処理を行うか否かの判定処理のフローチャートである。
【図２５】第十四の実施の形態によるピーキング処理を行うか否かの判定処理のフローチャートである。
【符号の説明】
【００９３】
１…電子スチルカメラ
２…可動レンズ
４…閃光装置
８…メインスイッチ
９…レリーズボタン
１２…撮影距離モードボタン
１４…ズーム操作ボタン
１５…モニター表示ボタン
１６…メニューボタン
１７…選択ダイヤル
２１…レンズ群
214 …ＣＣＤ
420 …表示ＬＣＤ
429 …ズームレンズ駆動回路
430 …レンズ駆動回路
431 …画像処理部
435 …フレームメモリ
436 …バッファメモリ
439 …ＣＰＵ
460 …ピーキング処理回路
461,470,471 …スイッチ
463 …CAF/SAF/MF切換えスイッチ
464 …ＡＥモード切換えスイッチ
467 …記録／再生切換えスイッチ
468 …連写モード切換えスイッチ
480 …電源回路
【図１】
2008278538.tif 000003
【図２】
2008278538.tif 000004
【図３】
2008278538.tif 000005
【図４】
2008278538.tif 000006
【図５】
2008278538.tif 000007
【図６】
2008278538.tif 000008
【図７】
2008278538.tif 000009
【図８】
2008278538.tif 000010
【図９】
2008278538.tif 000011
【図１０】
2008278538.tif 000012
【図１１】
2008278538.tif 000013
【図１２】
2008278538.tif 000014
【図１３】
2008278538.tif 000015
【図１４】
2008278538.tif 000016
【図１５】
2008278538.tif 000017
【図１６】
2008278538.tif 000018
【図１７】
2008278538.tif 000019
【図１８】
2008278538.tif 000020
【図１９】
2008278538.tif 000021
【図２０】
2008278538.tif 000022
【図２１】
2008278538.tif 000023
【図２２】
2008278538.tif 000024
【図２３】
2008278538.tif 000025
【図２４】
2008278538.tif 000026
【図２５】
2008278538.tif 000027